(57)【特許請求の範囲】
【請求項１】
（ａ）内側タイヤ・ビード・シート保持フランジと、内側タイヤ・ビード・シートと、くぼみ部分と、外側タイヤ・ビード・シートと、外側タイヤ・ビード・シート保持フランジとを備え、リム軸線を形成する予備成形車輪リムを用意する段階と、
（ｂ）大体において円形のディスク素材を用意する段階と、
（ｃ）このディスク素材を初めにスタンピング加工して内部車輪取付け部分及び外部環状部分を持つ大体において皿形の車輪ディスクを作る段階と、
（ｄ）この皿形の車輪ディスクに中間の金属成形作業を施して、車輪ディスク水平軸線及び車輪ディスク上下方向軸線を形成する部分形成車輪ディスクであって、前記車輪ディスク上下方向軸線に対して第１の所定の角度をなすように向きを定めた外部環状フランジを持つ部分形成車輪ディスクを作る段階と、
（ｅ）この部分形成車輪ディスクの前記外部環状フランジに複数のアーチ形部分を形成する段階と、
（ｆ）前記部分形成車輪ディスクに、１連の金属成形作業を施し、中心ハブ穴と、この中心ハブ穴のまわりに円周方向に互いに間隔を置いた複数個の耳付きボルト取付け穴とを持つ部分形成車輪ディスクを作る段階と、
（ｇ）この部分形成車輪ディスクにこの部分形成車輪ディスクの外部環状フランジを前記車輪ディスク上下方向軸線に対して第２の所定の角度をなして半径方向内方に逆向きにする金属成形作業を施すことにより仕上がり車輪ディスクを形成する段階と、
（ｈ）前記仕上がり車輪ディスクの前記外部環状フランジを、前記予備成形車輪リムの内面に隣接して位置させる段階と、
（ｉ）前記仕上がり車輪ディスクを前記予備成形車輪リムに溶接し自動車車輪を作る段階と、
から成る、自動車車輪を形成する方法。
【請求項２】
前記段階（ｄ）において、前記外部環状フランジを前記車輪ディスク上下方向軸線に対し８９°ないし９１°の範囲の第１の所定の角度をなして向きを定める請求項１の方法。
【請求項３】
前記段階（ｇ）において、前記外部環状フランジを前記車輪ディスク上下方向軸線に対して９１°ないし９９°の範囲の第２の所定の角度をなして半径方向内方に逆向きにする請求項１の方法。
【請求項４】
前記段階（ｄ）において、前記外部環状フランジを、前記車輪ディスク上下方向軸線に対して８９°ないし９１°の範囲の第１の所定の角度をなして向きを定め、前記段階（ｇ）において、前記外部環状フランジを、前記車輪ディスク上下方向軸線に対し９２°ないし９９°の範囲の第２の所定の角度をなして半径方向内方に逆向きにする請求項１の方法。
【請求項５】
前記段階（ｅ）における前記各アーチ形部分を、前記部分形成車輪ディスクの前記外部環状フランジの円周のまわりに互いに等距離に形成し、各前記アーチ形部分を、前記外部環状フランジにより形成した円に対し半径方向内方に延びるようにする請求項１の方法。
【請求項６】
前記段階（ｇ）が、前記部分形成車輪ディスクを複数の型を持つ型取付具内に位置させ、前記各型に前記外部環状フランジを係合させ、この外部環状フランジを前記第２の所定角度をなして半径方向内方に逆向きにする請求項１の方法。
【請求項７】
（ａ）車輪リムを用意する段階と、
（ｂ）中央に位置する車輪取付面と、複数のアーチ形部分が形成された外部環状フランジとを持つ車輪ディスクであって、この車輪ディスクの上下方向軸線に対して所定の角度をなして前記外部環状フランジを、半径方向内方に逆向きにして成る車輪ディスクを用意する段階と、
（ｃ）この車輪ディスクを、前記車輪リムに接合して自動車車輪を作る段階と、
から成る自動車車輪を形成する方法。
【請求項８】
前記段階（ｂ）における前記外部環状フランジを、前記車輪取付面に対して９１°ないし９９°の範囲内の所定の角度をなして半径方向内方に逆向きにする請求項７の方法。
【請求項９】
前記段階（ｂ）における前記アーチ形部分を、前記部分形成車輪ディスクの前記外部環状フランジの円周のまわりに互いに等距離に形成し、前記各アーチ形部分を、前記外部環状フランジにより形成した円に対し半径方向内方に延びるようにする請求項７の方法。
【請求項１０】
前記車輪リムがリム軸線を形成し、内側タイヤ・ビード・シート保持フランジと、内側タイヤ・ビード・シートと、くぼみ部分と、外側タイヤ・ビード・シートと、外側タイヤ・ビード・シート保持フランジとを前記車輪リムが備える請求項７の方法。
【請求項１１】
前記車輪ディスクに、中心ハブ穴と、この中心ハブ穴のまわりに円周方向に互いに間隔を置いた複数個の耳付きボルト取付け穴とを設ける請求項７の方法。
【請求項１２】
中央に位置し、上下方向軸線を形成する車輪取付け部分と、前記上下方向軸線に対し所定の角度をなして半径方向内方に逆向きにされ、複数のアーチ形部分を形成した外部環状フランジとを備え、水平軸線を形成する車輪ディスクから成り、自動車車輪に使用するのに適する車輪ディスク。
【請求項１３】
中心ハブ穴と、形成したパイロット穴のまわりに円周方向に互いに間隔を置いた複数個の耳付きボルト取付け穴とをさらに備えた請求項１２の車輪ディスク。
【請求項１４】
前記アーチ形部分を、前記車輪ディスクの前記外部環状フランジの円周のまわりに互いに等距離に形成し、前記各アーチ形部分を、前記外部環状フランジにより形成した円に対し半径方向内方に延ばした請求項１２の車輪ディスク。
【発明の詳細な説明】
【０００１】
【産業上の利用分野】
本発明は、一般に自動車車輪、ことに改良された自動車車輪とくにビード・シート取付け自動車車輪と、この自動車車輪を作る方法とに関する
【０００２】
本願は１９９７年１２月３０日付け米国特許願６０／０７０，０４６号明細書の追加に係わる。
【０００３】
【従来の技術】
従来のビード・シート取付け自動車車輪は、ツー・ピース構造であり内部車輪ディスク及び外部「全」車輪リムを備える。車輪ディスクは、鋼、アルミニウム又はその他の合金から鋳造し、鍛造し又は成形することができ、内部環状車輪取付け部分及び外部環状部分を備える。車輪取付け部分は、内側取付面を形成し、中心パイロット穴又はハブ穴と自動車の車軸に車輪を取付けるように貫いて形成した複数個のつまみ受入れ穴を備える。車輪リムは、鋼、アルミニウム又はその他の合金から作られ、内側タイヤ・ビード・シート保持フランジ、内側タイヤ・ビート・シート、軸線方向に延びるくぼみ、外側タイヤ・ビード・シート及び外側タイヤ・ビード・シート保持フランジを備える。若干の例では車輪ディスクに固定した取付けカップを持つ３ピース車輪構造を使う。これ等の両形式の構造では、車輪ディスクの外部環状部分は、車輪ディスクを車輪リムに溶接により固着するように車輪ディスクの外周辺端部に或る「角度」をなす。典型的には鋼製車輪ディスクではこの角度は車輪ディスクの材料を機械加工により除去することにより形成する。アルミニウム製車輪ディスクではこの角度は典型的にはスピニング作業により形成する。
【０００４】
本発明は、改良された自動車車輪とこの自動車車輪を作る方法とを提供する。
【０００５】
本発明の自動車車輪は溶接により互いに接合した車輪リム及び車輪ディスクを備える。車輪リムは、内側タイヤ・ビード・シート保持フランジ、内側タイヤ・ビード・シート、大体において軸線方向に延びるくぼみ、外側タイヤ・ビード・シート及び外側タイヤ・ビード・シート保持フランジを備える。車輪ディスクは、水平の軸線を形成し、大体において中央に位置する車輪取付け部分と外側環状フランジとを備える。車輪取付け部分は、上下方向の軸線を形成し、パイロット穴とこのパイロット穴のまわりに円周方向に互いに間隔を置いた複数個の耳付きボルト受入れ穴とを備える。車輪ディスクの外部環状フランジは外面とこの外面に実質的に平行な内面とを形成し全長にわたり大体において一定の厚さを持つようにしてある。外部環状フランジの外面は、上下方向軸線に対して所定の角度を挟んで逆の向きにする。外部環状フランジはさらに、このフランジに形成した複数のアーチ形部分を備える。本発明による、自動車車輪を形成する方法は、（ａ）内側タイヤ・ビード・シート保持フランジと、内側タイヤ・ビード・シートと、くぼみ部分と、外側タイヤ・ビード・シートと、外側タイヤ・ビード・シート保持フランジとを備えリム軸線を形成する予備成形車輪リムを用意する段階と、（ｂ）大体において円形のディスク素材を用意する段階と、（ｃ）このディスク素材を初めにスタンピング加工して内部車輪取付け部分及び外部環状部分を持つ大体において皿形の車輪ディスクを作る段階と、（ｄ）この皿形の車輪ディスクに中間の金属成形作業を施して、車輪ディスク水平軸線及び車輪ディスク上下方向軸線を形成する部分形成車輪ディスクであって、前記車輪ディスク上下方向軸線と大体において同じ方向に延び、複数のアーチ形部分を形成した外部環状フランジを持つ部分形成車輪ディスクを作る段階と、（ｅ）この部分形成車輪ディスクに１連の金属成形作業を施し、中心ハブ穴と、この中心ハブ穴のまわりに円周方向に互いに間隔を置いた複数個の耳付きボルト受入れ穴とを持つ部分形成車輪ディスクを作る段階と、（ｆ）この部分形成車輪ディスクに、この部分形成車輪ディスクの外部環状フランジを前記車輪ディスク上下方向軸線に対して半径方向内方に逆向きにする金属成形作業を施すことにより、仕上がりの車輪ディスクを形成する段階と、（ｇ）この仕上がり車輪ディスクの前記外部環状フランジを、前記予備成形車輪リムの内面に隣接して位置させる段階と、（ｈ）前記仕上がり車輪ディスクを前記車輪リムに溶接し自動車車輪を作ることから成る。
【０００６】
本発明のその他の利点は本発明の好適な実施例の添付図面による以下の詳細な説明から当業者には明らかである。
【０００７】
【実施例】
添付図面のうち図６は本発明による自動車車輪の製法の段階順序（ｓｅｑｕｅｎｃｅ  ｏｆ  ｓｔｅｐｓ）を示すブロック図である。この段階順序により作った自動車車輪は図１のビード・シート取付け成形鋼製自動車車輪１０として例示してある。しかし本発明は本発明により作った車輪ディスクを持つ他の形式の成形自動車車輪についても応用できるのは明らかである。たとえばこの自動車車輪には、「ビード・シート取付け」車輪〔ヘック（Ｈｅｃｋ）等を発明者とする米国特許第５，１８８，４２９号明細書の図４とコールマン（Ｃｏｌｅｍａｎ）を発明者とする米国特許第５，６９４，６８７号明細書の図３０とに示してあるような車輪〕と「くぼみ取付け」の車輪（ヘック等の特許明細書の図３に示してあるような車輪）とがある。これ等の特許明細書はすべて本説明に参照してある。又本発明の自動車車輪１０は、たとえばアルミニウム及びその合金のような他の材料、又はたとえばアルミニウム及びその合金と鋼とのような各材料の他の組合せから形成することができる。
【０００８】
又図６について本発明の自動車車輪１０を作る各段階（ｓｔｅｐ）の順序を述べる。初めに段階１００において適当な材料から成る扁平なシート（図示してない）を図７に示した車輪ディスク素材３０に形成する。車輪ディスク素材３０は大体において一様なディスク厚さを持つようにする。これに次いで車輪ディスク素材３０は初めのスタンピング段階（ｓｔａｎｐｉｎｇ  ｓｔｅｐ）１０２でスタンピング加工し（ｓｔａｍｐ）図８に示した大体において皿形の車輪ディスク３２を作る。皿形の車輪ディスク３２は外部環状部分３４及び内部環状部分３６を備える。
【０００９】
皿形の車輪ディスク３２は次いで、中間のスタンピング段階１０４中に図９に示した所定の輪郭を持つ部分的に形成した車輪ディスクすなわち部分形成車輪ディスク３８にスタンピング加工する。部分形成車輪ディスク３８は、大体において中央に位置する車輪取付け部分４０と所定の輪郭を持つ外部環状部分４２とを備える。部分形成車輪ディスク３８は縦方向又は水平方向の軸線Ｘを形成し、又車輪取付け部分４０は上下方向軸線Ｙを形成する内面４０Ａを備える。
【００１０】
部分形成車輪ディスク３８の外部環状部分４２は、外側面４４Ａ、内側面４４Ｂ及び端面４４Ｃを持つ部分形成車輪ディスク外部環状の脚又はフランジ４４を形成する。図示の実施例では外側面４４Ａは内側面４４Ｂに実質的に平行で外部環状フランジ４４の全長にわたり大体において一定の厚さを持つ。部分形成車輪ディスク３８の外部環状フランジ４４の外側面４４Ａは上下方向軸線Ｙに対して所定の角度Ａをなす向きにしてある。角度Ａは約８９°ないし約９１°の範囲がよく、好適な角度Ａは約９０°である。
【００１１】
又中間のスタンピング段階１０４の間に複数個の互いに間隔を置いた大体において内方に湾曲した又は凹入した部分又はアーチ形部分４６（図２及び図３に４個のアーチ形部分４６を例示してある）を部分形成車輪ディスク３８の外部環状フランジ４４に形成してある。図示の実施例では各アーチ形部分４６は車輪部分形成車輪ディスク３８の外部環状フランジ４４の円周のまわりに互いに等しい距離を置いて形成してある。図２及び図３に明らかなように各アーチ形部分４６は外部環状部分４４の外側面４４Ａにより形成した円に対し半径方向内方に延びる。
【００１２】
次に段階１０６で中心ハブ穴４８と、複数個の窓５０（このような窓５０のうち２個が図１０に例示され１４個のこのような窓５０が図２及び図３に例示してある）と、複数個の耳付きボルト取付け穴５２（このような耳付きボルト取付け穴５２の１個が図１０に例示され１８個のこのような耳付きボルト取付け穴が図２及び図３に例示してある）とは部分形成車輪ディスク３８に形成され、図１０に示した部分形成車輪ディスク５４を作る。これに次いで段階１０８では窓５０及び中心ハブ穴４８を圧印加工し（ｃｏｉｎ）、部分形成車輪ディスク５４を打ち直し（ｒｅｓｔｒｉｋｅ）図１１に示した部分形成車輪ディスク５６を作る。
【００１３】
次に段階１１０で部分形成車輪ディスク５６の外部環状フランジ４４は所定の公差にトリミング加工し（ｔｒｉｍ）、図１２に示した部分形成車輪ディスク５８、を作る。ことに外部環状フランジ４４の端面４４Ｃはトリミング加工して（ｔｒｉｍｍｅｄ）車輪取付け部分４０の内面４０Ａと外部環状フランジ４４の端面４４Ｃとの間に所定の軸線方向寸法Ｘ１を形成する。特定の車両ディスク構造に従って段階１１０中にアーチ形部分４６の外端面４６Ａのわずかなトリミング加工を行う。
【００１４】
これに次いで段階１１２で部分形成車輪ディスク５８に仕上げのスタンピング作業（ｆｉｎａｌ  ｓｔａｍｐｉｎｇ  ｏｐｅｒａｔｉｏｎ）を行い形成し終った又は仕上り車輪ディスク（ｆｉｎｉｓｈｅｄ  ｗｈｅｅｌ  ｄｉｓｃ）１２を生成する。このために部分形成車輪ディスク５８を図１４に示した型取付具（ｄｉｅ  ｆｉｘｔｕｒｅ）７０内に位置させる。図示の型取付具７０は、部分形成車輪ディスク５８の外部環状フランジ４４に係合するように作用する複数個の型（図１４に示した型取付具７０内には３個のこのような型７２、７４、７６を例示してある）を備え、外部環状フランジ４４を部分形成車輪ディスク５８の縦方向軸線Ｘに向かい半径方向内方に折曲げ又は逆向きにする。ことに仕上がり車輪ディスク１２の外部環状フランジ４４は、半径方向内方に逆向きにし、ディスク１２の車輪取付け面４０の上下方向軸線Ｙに対しフランジ４４の外側面４４Ａを所定の角度Ｂをなす向きに定める。角度Ｂは上下方向軸線Ｙに対し約９１°ないし約９９°の範囲にするのがよい。なお角度Ｂは上下方向軸線Ｙに対し約９５°をなすのが一層よい。
【００１５】
段階１１４では仕上がり車輪ディスク（ｆｉｎｉｓｈｅｄ  ｗｈｅｅｌ  ｄｉｓｃ）１２は車輪リム１４に固定することにより図１に示した自動車車輪を生成する。図１に示すように車輪リム１４は、内側タイヤ・ビード・シート保持フランジ６０、内側タイヤ・ビード・シート６２、大体において軸線方向に延びるくぼみ（ｗｅｌｌ）６４、外側タイヤ・ビード・シート６６及び外側タイヤ・ビード・シート保持フランジ６８を備える。とくに段階１１４中に仕上がり車輪ディスク１２の外部環状フランジ４４の外面４４Ａは車輪リム１４の外側タイヤ・ビード・シート６６の内面６６Ａに隣接して位置させ、車輪リム１４及び仕上がり車輪ディスク１２を互いに固定するように溶接部を設けて本発明の仕上がりのビード・シート取付け成形自動車車輪１０を生成する。
【００１６】
以上本発明を特定の自動車車輪１０について述べたが、本発明が他の形式の自動車車輪についても使うことができるのは明らかである。又本発明車輪ディスク１２はたとえばアルミニウム及びその合金とチタンとマグネシウムとのような他の材料からも形成することができる。さらに本発明を段階１０４（図９に示してある）中に仕上がり車輪ディスク１２の外部環状フランジ４４にアーチ形部分４６を形成するように述べたが各アーチ形部分４６を前記した以外の方式で形成してもよいのは明らかである。たとえば前記したのとは異なる輪郭を持つアーチ形部分４６を形成し、前記した以外の適当な方法によりアーチ形部分４６を形成し、そして／又は前記したのとは異なる他の車輪ディスク形成法でアーチ形部分４６を「部分形成ディスク」に形成することができる。しかし使用する形状及び方法に関係なく、アーチ形部分４６は、車輪ディスクの外部環状フランジ４４を「逆の向きにし」又は屈曲させる処理に先だって「部分形成ディスク」に形成する（最終型打ち段階１１２に示してある）必要があり、従って外部環状フランジ４４の逆向き角度の成形中に、各アーチ形部分４６は外部環状フランジ４４の材料をこのような成形処理中にこの材料の座屈を生じさせないで所望の角度Ｂをなすように逆向きにし又は屈曲させるように作用する。
【００１７】
本発明の１つの利点は、車輪ディスクの外部環状フランジ４４を独特の型取付具７０を使いスタンピング作業中に逆向きにすることができることである。従来鋼製ディスクは典型的には車輪ディスクの外部環状フランジに逆向き角度をなすように機械加工し、又アルミニウム製ディスクは典型的には車輪ディスクの外部環状フランジに逆向き角度をなすようにスピニング加工する（ｓｐｉｎ）。従ってスタンピング作業により形成した逆向き外部環状フランジを持つ、本発明の仕上がり車輪ディスク１２の製造費は、外部環状フランジをこのフランジに逆向き角度をなすように機械加工する同様な寸法の従来の鋼製車輪ディスクを作る費用に比べ又外部環状フランジをこの逆向きフランジを形成するようにスピニング加工する同様な寸法の従来のアルミニウム製車輪ディスクを作る費用に比べて実質的に一層安価である。
【００１８】
以上本発明の原理及び作用方式をその好適な実施例について述べた。しかし本発明はなおその精神を逸脱しないで種種の変化変型を行うことができるのはもちろんである。
【図面の簡単な説明】
【図１】  本発明形成法により作った自動車車輪の軸断面図である。
【図２】  図１に例示した車輪ディスクの斜視図である。
【図３】  図１の車輪ディスクの別の斜視図である。
【図４】  図３に例示した車輪ディスクの一部の拡大横断面図である。
【図５】  図３に例示した車輪ディスクの一部の拡大側面図である。
【図６】  本発明により車輪ディスクを作る各段階の順序を示すブロック図である。
【図７】  本発明により車輪ディスクを作るのに使うディスク素材の横断面図である。
【図８】  本発明により車輪ディスク素材を大体において皿形のディスクに形成する初期段階で示す横断面図である。
【図９】  本発明により、部分形成車輪ディスクに逆向き外部フランジ、中心ハブ穴及び複数個の耳付きボルト受入れ穴を形成することによる部分形成車輪ディスクの形成を示す横断面図である。
【図１０】  本発明による、部分形成車輪ディスクへの窓の形成を示す横断面図である。
【図１１】  本発明による、部分形成車輪ディスクのハブ穴の再打ちたたきを示す横断面図である。
【図１２】  本発明による部分形成車輪ディスクの外部フランジのトリミング加工を示す横断面図である。
【図１３】  本発明により仕上がり車輪ディスクを作るように部分形成ディスクの外部フランジを逆向きにし又は屈曲させる段階を示す横断面図である。
【図１４】  本発明により車輪ディスクの外部フランジが逆向き角度を挟むようにするのに使う型取付具の横断面図である。
【符号の説明】
１０      自動車車輪
１２      車輪ディスク
１４      車輪リム
３０      ディスク素材
３２      皿形の車輪ディスク
３４      外部環状部分
３６      内部車輪取付部分
４４      外部環状フランジ
４６      アーチ形部分
４８      中心ハブ穴
５２      耳付きボルト受入れ穴
６０      内側タイヤ・ビード・シート保持フランジ
６２      内側タイヤ・ビード・シート
６４      くぼみ部分
６６      外側タイヤ・ビード・シート
６８      外側タイヤ・ビード・シート保持フランジ
【図１】
0004396910.tif 000002
【図２】
0004396910.tif 000003
【図３】
0004396910.tif 000004
【図４】
0004396910.tif 000005
【図５】
0004396910.tif 000006
【図６】
0004396910.tif 000007
【図７】
0004396910.tif 000008
【図８】
0004396910.tif 000009
【図９】
0004396910.tif 000010
【図１０】
0004396910.tif 000011
【図１１】
0004396910.tif 000012
【図１２】
0004396910.tif 000013
【図１３】
0004396910.tif 000014
【図１４】
0004396910.tif 000015